(57)【特許請求の範囲】
【請求項１】
長さ方向に沿って複数の係止孔が設けられた金属製スライド部材と、前記スライド部材が上部から摺動自在に差し込まれるベース部材と、前記ベース部材の上部に取り付けられ前記スライド部材が挿入される孔部を有する樹脂製インロー部材と、前記スライド部材に摺動自在に装着されるとともに前記係止孔と係合する係合突部と前記ベース部材に取り付けられた前記インロー部材の上部と当接する係止部とを有する係合部材と、を備え、前記係合部材の係合突部は、前記ベース部材の上部に挿入される舌片部に設けられ且つ前記係合部材は前記係合突部が前記係止孔の係合方向と離間方向に揺動自在に装着されると共に前記係合突部を前記係止孔方向に付勢する磁性体が前記係合部材に設けられ、前記係合部材が係止孔に対して係止位置に位置するとき、前記磁性体により前記係合部材の係合突部が係止孔に係合した状態で固定されることを特徴とする伸縮支柱スタンド。
【請求項２】
前記インロー部材に前記係合部材の舌片部を収容する収容凹所が形成されていることを特徴とする請求項１に記載の伸縮支柱スタンド。
【発明の詳細な説明】
【技術分野】
【０００１】
この発明は、店舗などに用いられるハンガースタンドやハンガーラックなどの陳列用什器に適用される伸縮支柱スタンドに関する。
【背景技術】
【０００２】
陳列用什器などに用いられる伸縮支柱スタンドは、下部側に配置されるベース柱と、このベース柱の上端に摺動自在に差し込まれるスライド柱と、スライド柱を任意の差し込み長さで保持する支持具で構成されている。この支持具としては、ベース柱の上端部の側面にベース柱とほぼ直角方向にねじ込まれる螺子部を有し、螺子の先端部がスライド柱をベース柱の内面に押し付けるように構成したものが知られている。
【０００３】
このように構成された伸縮支柱スタンドにおいては、伸縮作業の際に螺子の緩締操作が必要なため、作業性が悪い。また、耐荷重性に乏しいという問題もあった。
【０００４】
上記の問題点を解消すべく、様々な伸縮支柱スタンドが提案されている。例えば、特許文献１には、図７及び図８に示すような伸縮支柱が開示されている。この伸縮支柱は、図７及び図８に示すように、中空筒状に形成されたベース柱１１０と、前面若しくは背面の長手方向に複数の係止孔１２１が穿設されベース柱１１０の上端に摺動自在に差し込まれるスライド柱１２０と、スライド柱１２０を所望の差し込み長さで支持する支持具１３０とからなり、支持具１３０は、スライド柱１２０に嵌挿してベース柱１１０の上端で支持されるとともに、ベース柱１１０の上端に支持された状態でスライド柱１２０の係止孔１２１の上縁と係止する係止片１３２と、ベース柱１１０の上端から離隔した状態で、係止孔１２１の下縁と係合しうる係合部１３３とを備えている。
【０００５】
この伸縮支柱１００は、支持具１３０を、スライド柱１２０に嵌挿しベース柱１１０の上端で支持するとともに、係止片１３２をスライド柱１２０の任意の係止孔１２１の上縁に係止させることで、スライド柱１２０の差し込み長さを所定の長さに保つようにし、さらに、スライド柱１２０の係止孔１２１の下縁と係合しうる係合部１３３を設けて、スライド支柱１２０の差し込み長さを調節する際に、支持具１３０を任意の係止孔１２１に掛止めして、支持具１３０の位置決めをできるようにしたものである。
【特許文献１】特開２００５−６６１９１号公報
【発明の開示】
【発明が解決しようとする課題】
【０００６】
上記した特許文献1に記載の伸縮支柱においては、以下のような問題があった。すなわち、上記の伸縮支柱における支持具１３０は、スライド柱１２０に対して、係止片１３２が係合部１３３に引っ掛かった状態が高さ調整の位置を決定する状態になる。そして、スライド柱１２０をベース柱１１０内に降下させることで、係止片１３２の上辺が係止孔１２１の上辺に当たり固定され、ベース柱１１０の上辺傾斜により支持具１３０はスライド柱１２０の下方向に加わる力により、ロック方向に力が加わるように構成されている。
【０００７】
このような構成においては、まずロック状態に至るまでの状態で支持具１３０の係止片１３２がスライド柱１２０の係止部１３３に引っ掛かった状態となるが、引っ掛かりが浅く、しかも、支持具１３０の自重による仮固定の状態であり、非常に不安定である。このため、取り扱い時の軽い揺れや衝撃で支持具１３０が係止孔１２１より外れて落下する可能性が有り、危険性を伴っていた。
【０００８】
また、支持具１３０の係止片１３２をスライド柱１２０の係止部１３３に取り付ける作業は、店舗の店員などあまり取り付け作業を行ったことがない人にとっては、支持具１３０の係止部１３３が係止孔１２１の係止部１３３に確実に取り付けられているか解りにくく、取り付けに不備があった場合には落下等の危険性があった。
【０００９】
そこで、この発明は、上述した従来の問題に鑑みなされたものにして、ロック状態が容易に確認でき、作業性が良好な伸縮支柱スタンドを提供することを目的とする。
【課題を解決するための手段】
【００１０】
この発明の伸縮支柱スタンドは、長さ方向に沿って複数の係止孔が設けられた金属製スライド部材と、前記スライド部材が上部から摺動自在に差し込まれるベース部材と、前記ベース部材の上部に取り付けられ前記スライド部材が挿入される孔部を有する樹脂製インロー部材と、前記スライド部材に摺動自在に装着されるとともに前記係止孔と係合する係合突部と前記ベース部材に取り付けられた前記インロー部材の上部と当接する係止部とを有する係合部材と、を備え、前記係合部材の係合突部は、前記ベース部材の上部に挿入される舌片部に設けられ且つ前記係合部材は前記係合突部が前記係止孔の係合方向と離間方向に揺動自在に装着されると共に前記係合突部を前記係止孔方向に付勢する磁性体が前記係合部材に設けられ、前記係合部材が係止孔に対して係止位置に位置するとき、前記磁性体により前記係合部材の係合突部が係止孔に係合した状態で固定されることを特徴とする。
【００１２】
さらに、前記インロー部材に前記係合部材の舌片部を収容する収容凹所を形成するとよい。
【発明の効果】
【００１３】
この発明は、スライド部材に係合部材を所定の高さで規制するための係止孔にスライド部材に沿って移動させるだけで、簡単にロック状態に維持できる。そして、係合部材が装着されたスライド部材をベース部材に差し込むだけでベース部材にスライド部材を取り付け固定できる。このため、作業経験をつまなくても簡単にスライド部材の高さを調整できる。
【００１４】
さらに、この発明は、係合部材に設けた磁性体により、係合部材はスライド部材に貼り付いた状態になり、スライド部材から係合部材は故意に力を加えない限り落下する虞はなく、係合部材の落下による紛失等を防ぐことができる。
【００１５】
また、ベース部材の上部にスライド部材が挿入される孔部と係合部材の舌片部を収容する収容凹所を有する樹脂製インロー部材を取り付けることで、係合部材の舌片部は、収容凹所内に入り込み、舌片部を含む係合部分がインロー部材内に隠れ、係合突部と係止孔とが外れることがなく確実にベース部材に所定の高さでスライド部材が取り付け固定される。また、舌片部を含む係合部分がインロー部材５内に隠れることで、見栄えも良くなる。
【発明を実施するための最良の形態】
【００１６】
この発明の実施の形態について図面を参照しながら詳細に説明する。なお、図中同一または相当部分には同一符号を付し、説明の重複を避けるためにその説明は繰返さない。
【００１７】
図１は、この発明の伸縮支柱スタンドの実施形態を示す斜視図、図２は同側面図である。図１及び図２に示すように、この発明の伸縮支柱スタンドは、ベース台１、ベース部材２、金属製スライド部材３、係合部材４とを備える。
【００１８】
ベース台１は、例えば、鉄にクロムメッキを施した板状部材で形成され、このベース台１の後方端部に、中空の四角柱状のベース部材２が固定されている。このベース部材２は、例えば鉄にクロムメッキを施した中空の角柱で形成され、溶接等によりベース台１に固定される。この実施形態においては、このベース部材２は、１４×１４ｍｍの角パイプで形成されている。
【００１９】
このベース部材２の中空部に金属製スライド部材３が摺動自在に差し込まれる。このスライド部材３は、例えば鉄にクロムメッキを施した角材で形成され、この実施形態においては、先端部にハンガーなどが掛けられる腕部３１が設けられている。この実施形態においては、スライド部材３は３×９ｍｍの角材で形成されている。
【００２０】
そして、スライド部材３には、伸縮する高さを規定するための係止孔３２が長さ方向に沿って複数設けられている。この実施形態においては、図２に示すように、５００ｍｍの高さ（図中Ａ）から３５０ｍｍの高さ（図中Ｂ）迄伸縮できるように、複数の係止孔３２が設けられている。
【００２１】
上記スライド部材３には、スライド部材３が下降することを規制してスライド部材３のベース部材２への差し込み長さを一定に保つ樹脂製の係合部材４が取り付けられる。
【００２２】
図３は、この発明の実施形態に用いられる係合部材を示す断面図、図４は、この発明の実施形態における係合部材を装着したスライド部材をベース部材に装着する状態を示す斜視図、図５は、この発明の実施形態における係合部材を装着したスライド部材をベース部材に装着する状態を示す断面図である。
【００２３】
図３に示すように、この係合部材４は、スライド部材３に摺動自在に装着されるように、スライド部材３に嵌め込まれる挿入孔４３が形成されている。そして、スライド部材３に設けられている係止孔３２と係合する係合突部４１とベース部材３の上部と当接する係止部４５が設けられている。係合突部４１は、ベース部材３の上部に挿入される舌片部４２に設けられている。
【００２４】
この係合部材４の挿入孔４３には、上方から下方に広がるテーパー面４３ａが設けられている。このテーパー面４３ａにより、係合部材４をスライド部材３に挿入し、係合部材４の摘み部４４を押すことで係合突部４１がスライド部材３の係止孔３２から離間する方向に移動（揺動）する。また、係合突部４１の背面側の舌片部４２内には磁性体４６が取り付けられている。この磁性体４６の磁力により、係合部材４はスライド部材３の方向に付勢され（引っ張られ）、摘み部４４へ力を加えないときには、係合部材４はスライド部材３に貼り付いた状態になる。そして、スライド部材３の係止孔３２と係合部材４の係合突部４１が臨んだ状態で摘み部４４から指等を外すと、磁性体４６の磁力により、係合突部４１はスライド部材３の係止孔３２方向に揺動し、係止孔３２の中に係合突部４１が入り込み両者が係合して固定される。
【００２５】
なお、係止孔３２と係合突部４１が係合していない状態であってもスライド部材３に係合部材４を挿入し、摘み部４４に指等で力を加えていない状態においては、磁性体４６により、係合部材４はスライド部材３に貼り付いた状態になり仮固定されている。このため、スライド部材３から係合部材４は故意に力を加えない限り落下する虞はなく、係合部材４の落下による紛失等を防ぐことができる。
【００２６】
ベース部材２の上部には、この実施形態においては、上記係合部材４とスライド部材３を収容する樹脂製インロー部材５が挿入固定されている。
【００２７】
この樹脂製インロー部材５は、図６に示すように、挿入されたスライド部材３を摺動自在に支持する挿入孔５２と、係合部材４の舌片部４２が挿入される収容凹所５１が設けられている。
【００２８】
図５（Ａ）に示すように、スライド部材３の所定の高さ位置に当たる係止孔３２に係合突部４１を係合させて、スライド部材３に係合部材４を固定する。このとき、スライド部材３の所定の位置の係止孔３２に係合部材４の係合突部４１を移動させると、磁性体４６の磁力により係合部材４がスライド部材３に貼り付き、安全なロック状態に保たれる。そして、スライド部材３をインロー部材５の挿入孔５２と収容凹所５１の位置を合わせてベース部材２に挿入させてベース部材２にスライド部材３を取り付ける。
【００２９】
図５（Ｂ）に示すように、ベース部材２にスライド部材３を取り付けると、インロー部材５の上面部５３と係合部材４の係止部４５とが当接し、スライド部材３が下降することを規制してスライド部材３のベース部材２への差し込み長さが一定に保たれる。このとき、図５（Ｂ）に示すように、係合部材４の舌片部４２は、収容凹所５１内に入り込み、舌片部４２を含む係合部分がインロー部材５内に隠れ、係合突部４１と係止孔３２とが外れることがなく確実にベース部材２に所定の高さでスライド部材３が取り付け固定される。
【００３０】
また、舌片部４２を含む係合部分がインロー部材５内に隠れることで、見栄えも良くなる。
【００３１】
このように、この発明の伸縮支柱スタンドは、スライド部材３に係合部材４を所定の高さを規制するための係止孔３２にスライド部材３に沿って移動させるだけで、簡単にロック状態に維持できる。そして、係合部材４が装着されたスライド部材３をベース部材２に取り付けたインロー部材５に差し込むだけでベース部材３にスライド部材２を取り付け固定できる。このため、作業経験をつまなくても簡単にスライド部材３の高さを調整できる。
【００３２】
図６は、この発明の実施形態における係合部材をスライド部材に装着する状態を工程別に示す断面図である。
【００３３】
図６（Ａ）に示すように、スライド部材３の下方部に係合部材４の舌片部４２を下方向にした状態で位置させ、図中矢印方向に係合部材４を移動させる。係合部材４をスライド部材３に挿入させると、同（Ｂ）に示す状態となる。
【００３４】
この状態で係合部材４を矢印方向に移動させようとすると、係合突部４１が邪魔になるので、同（Ｃ）に示すように、摘み部４４を指等で係合突部４１が離れる方向に力を加え、係合部材４を揺動させ、係合突部４１をスライド部材３から離間させる。
【００３５】
同（Ｄ）に示すように、この状態でスライド部材３の所定の係止孔３２の位置まで係止部材４を移動させる。そして、所定の係止孔３２の位置に到達すると同（Ｅ）に示すように、挿入孔４３にスライド部材３を挿入させた状態で所定位置にあるスライド部材３の係止孔３２の所まで係合部材４を移動させる。そして、スライド部材３の係止孔３２と係合部材４の係合突部４１が臨んだ状態で摘み部４４から指等を外すと、磁性体４６の磁力により、係合突部４１はスライド部材３の係止孔３２方向に揺動（移動）し、係止孔３２の中に係合突部４１が入り込み両者が係合して固定される。
【００３６】
このようにして、スライド部材３に係合部材４を固定する。その後、上述したように、スライド部材３をインロー部材５の挿入孔５２と収容凹所５１の位置を合わせてベース部材２に挿入させ、インロー部材５の上面部５３と係合部材４の係止部４５とが当接することにより、スライド部材３のベース部材２への差し込み長さが一定に保たれる。
される。
【００３７】
尚、上記した係合部材４及びインロー部材５の樹脂の材質は特に拘わりはなく、必要な強度に対応した材料又は材質のものを用いればよい。
【００３８】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【図面の簡単な説明】
【００３９】
【図１】この発明の伸縮支柱スタンドの実施形態を示す斜視図である。
【図２】この発明の伸縮支柱スタンドの実施形態を示す側面図である。
【図３】この発明の実施形態に用いられる係合部材を示す断面図である。
【図４】この発明の実施形態における係合部材を装着したスライド部材をベース部材に装着する状態を示す斜視図である。
【図５】この発明の実施形態における係合部材を装着したスライド部材をベース部材に装着する状態を示す断面図である。
【図６】この発明の実施形態における係合部材をスライド部材に装着する状態を工程別に示す断面図である。
【図７】従来の伸縮支柱を示す斜視図である。
【図８】従来の伸縮支柱を示す断面図である。
【符号の説明】
【００４０】
１  ベース台、２  ベース部材、３スライド部材、４  係合部材
５  樹脂製インロー部材、３２  係止孔、４１  係合突部、４２  舌片部、  ４６  磁性体。
【図１】
0004740936.tif 000002
【図２】
0004740936.tif 000003
【図４】
0004740936.tif 000004
【図５】
0004740936.tif 000005
【図６】
0004740936.tif 000006
【図７】
0004740936.tif 000007
【図８】
0004740936.tif 000008
【図３】
0004740936.tif 000009